(57)【要約】【課題】作業者の被災の可能性を低減する。【解決手段】スイッチギヤ（１）は、第１母線室（１１ａ）及び第２母線室（１１ｂ）と、遮断器室（１２）とケーブル室（１３）と、を仕切る第１仕切板（２１）を備える。第１仕切板（２１）には、第１母線室（１１ａ）と遮断器室（１２）とを連通する第１開口部（２８ａ）と、第２母線室（１１ｂ）とケーブル室（１３）とを連通する第２開口部（２８ｂ）と、が形成されていると共に、スイッチギヤの内部の下段側における圧力が上昇した場合、上昇した圧力により第１開口部又は第２開口部を開放して当該圧力を放出する第１放圧板（２９ａ）及び第２放圧板（２９ｂ）と、が設けられている。【選択図】図１
2022003853.tif 000002
【特許請求の範囲】
【請求項１】
スイッチギヤであって、
母線を収納する少なくとも１つの母線室と、
（ｉ）前記母線に接続されるケーブルと、（ｉｉ）前記母線と前記ケーブルとの接続を断路して消弧する遮断器と、を収納する収納室と、
前記スイッチギヤの上部に設けられ、前記スイッチギヤの内部を換気する換気部と、
前記母線室と前記収納室とを仕切る第１仕切板と、を備え、
前記第１仕切板には、
前記母線室と前記収納室とを連通する開口部が形成されていると共に、
前記開口部を閉塞して前記母線室と前記収納室との間における空気の流れを寸断している状態において、前記スイッチギヤの内部の下段側における圧力が上昇した場合、上昇した圧力により前記開口部を開放して前記圧力を放出する放圧板が設けられている、スイッチギヤ。
【請求項２】
前記母線室は、前記スイッチギヤの上段に設けられ、
前記収納室は、前記スイッチギヤの下段に設けられ、
前記放圧板は、前記収納室における圧力が上昇した場合、前記開口部を開放して、前記換気部を介して前記圧力を放出する、請求項１に記載のスイッチギヤ。
【請求項３】
前記収納室は、
前記遮断器を収納する遮断器室と、
前記ケーブルを収納するケーブル室と、を備え、
前記開口部は、
前記母線室と前記遮断器室とを連通する第１開口部と、
前記母線室と前記ケーブル室とを連通する第２開口部と、に分離して形成されており、
前記放圧板は、
前記第１開口部を閉塞して前記母線室と前記遮断器室との間における空気の流れを寸断している状態において、前記遮断器室の内部における圧力が上昇した場合、上昇した圧力により前記第１開口部を開放して前記圧力を放出する第１放圧板と、
前記第２開口部を閉塞して前記母線室と前記ケーブル室との間における空気の流れを寸断している状態において、前記ケーブル室の内部における圧力が上昇した場合、上昇した圧力により前記第２開口部を開放して前記圧力を放出する第２放圧板と、を有する、請求項１又は２に記載のスイッチギヤ。
【請求項４】
前記母線室には、前記母線室の内部への作業者のアクセスを可能とする第１開閉扉が設けられ、
前記遮断器室には、前記遮断器室の内部への作業者のアクセスを可能とする第２開閉扉が設けられ、
前記ケーブル室には、前記ケーブル室の内部への作業者のアクセスを可能とする第３開閉扉が設けられている、請求項３に記載のスイッチギヤ。
【請求項５】
前記第２開閉扉又は前記第３開閉扉は、前記スイッチギヤの動作を制御する制御機器を備える、請求項４に記載のスイッチギヤ。
【請求項６】
前記母線室は、前記母線と前記ケーブルとを接続又は断路する断路器を備え、
前記断路器は、前記制御機器を介して操作される、請求項５に記載のスイッチギヤ。
【請求項７】
前記母線室を複数備え、
複数の前記母線室は、隣接する母線室間における空気の流れを寸断する第２仕切板により仕切られている、請求項１から６の何れか１項に記載のスイッチギヤ。
【請求項８】
スイッチギヤであって、
母線を収納する少なくとも１つの母線室と、
（ｉ）前記母線に接続されるケーブルと、（ｉｉ）前記母線と前記ケーブルとの接続を断路して消弧する遮断器と、を収納する収納室と、
前記母線室と前記収納室とを仕切る第１仕切板と、を備え、
前記第１仕切板には、
前記母線室と前記収納室とを連通する開口部が形成されていると共に、
前記開口部を閉塞して前記母線室と前記収納室との間における空気の流れを寸断している状態において、前記スイッチギヤの内部の下段側における圧力が上昇した場合、上昇した圧力により前記開口部を開放して前記圧力を放出する放圧板が設けられ、
前記スイッチギヤの天板には、
前記スイッチギヤの内部と前記スイッチギヤの外部とを連通する天板開口部が形成されていると共に、
前記天板開口部を閉塞して前記スイッチギヤの内部と前記スイッチギヤの外部との間における空気の流れを寸断している状態において、前記スイッチギヤの内部における圧力が上昇した場合、上昇した圧力により前記天板開口部を開放して前記圧力を放出する天板放圧板が設けられている、スイッチギヤ。
【発明の詳細な説明】
【技術分野】
【０００１】
本発明は、スイッチギヤに関する。
【背景技術】
【０００２】
特許文献１のスイッチギヤの盤本体では、隔離板及び分離板により、上段の機器室、母線室及びケーブル室と、下段の機器室、母線室及びケーブル室と、それぞれ独立して形成されている。盤本体の天板には、上段の機器室、母線室及びケーブル室のそれぞれと対応するように、放圧板が設けられている。また、盤本体に隣接して、下段の機器室、母線室及びケーブル室と連通する放圧箱が設けられている。
【０００３】
特許文献２のスイッチギヤは、第１及び第２のスイッチギヤを備える。第１のスイッチギヤでは、仕切板により、母線室と、上段の遮断器室と、上段のケーブル・変流器室と、下段の遮断器室と、下段のケーブル・変流器室と、に分割区画されている。第２のスイッチギヤでは、仕切板により、母線室と、遮断器室と、ケーブル・変流器室と、共通放圧室と、に分割区画されている。第１のスイッチギヤの天板には、上段の遮断器室及び上段のケーブル・変流器室のそれぞれと対応するように、盤内放出開口が設けられている。第２のスイッチギヤの天板には、母線室及び共通放圧室のそれぞれと対応するように、盤内放出開口が設けられている。また、第１のスイッチギヤの母線室は、第２のスイッチギヤの母線室と連通するように設けられており、第１及び第２のスイッチギヤの下段の遮断器室及び下段のケーブル・変流器室はそれぞれ、放出開口を介して共通放圧室と連通するように設けられている。
【０００４】
特許文献３のスイッチギヤでは、制御作業室とケーブル室とを区画する盤内仕切板に通気口が形成されている。
【先行技術文献】
【特許文献】
【０００５】
【特許文献１】特公平６−６７０６０号公報
【特許文献２】特許４９０６７５５号公報
【特許文献３】特許４９７９７６７号公報
【発明の概要】
【発明が解決しようとする課題】
【０００６】
本発明の一態様は、特許文献１〜３のスイッチギヤとは異なる構成により、短絡事故が発生したときに発生する圧力をスイッチギヤの外部に放出し、作業者の被災の可能性を低減することが可能なスイッチギヤを実現することを目的とする。
【課題を解決するための手段】
【０００７】
上記の課題を解決するために、本発明の一態様に係るスイッチギヤは、スイッチギヤであって、母線を収納する少なくとも１つの母線室と、（ｉ）前記母線に接続されるケーブルと、（ｉｉ）前記母線と前記ケーブルとの接続を断路して消弧する遮断器と、を収納する収納室と、前記スイッチギヤの上部に設けられ、前記スイッチギヤの内部を換気する換気部と、前記母線室と前記収納室とを仕切る第１仕切板と、を備え、前記第１仕切板には、前記母線室と前記収納室とを連通する開口部が形成されていると共に、前記開口部を閉塞して前記母線室と前記収納室との間における空気の流れを寸断している状態において、前記スイッチギヤの内部の下段側における圧力が上昇した場合、上昇した圧力により前記開口部を開放して前記圧力を放出する放圧板が設けられている。
【０００８】
更に、上記の課題を解決するために、本発明の一態様に係るスイッチギヤは、スイッチギヤであって、母線を収納する少なくとも１つの母線室と、（ｉ）前記母線に接続されるケーブルと、（ｉｉ）前記母線と前記ケーブルとの接続を断路して消弧する遮断器と、を収納する収納室と、前記母線室と前記収納室とを仕切る第１仕切板と、を備え、前記第１仕切板には、前記母線室と前記収納室とを連通する開口部が形成されていると共に、前記開口部を閉塞して前記母線室と前記収納室との間における空気の流れを寸断している状態において、前記スイッチギヤの内部の下段側における圧力が上昇した場合、上昇した圧力により前記開口部を開放して前記圧力を放出する放圧板が設けられ、前記スイッチギヤの天板には、前記スイッチギヤの内部と前記スイッチギヤの外部とを連通する天板開口部が形成されていると共に、前記天板開口部を閉塞して前記スイッチギヤの内部と前記スイッチギヤの外部との間における空気の流れを寸断している状態において、前記スイッチギヤの内部における圧力が上昇した場合、上昇した圧力により前記天板開口部を開放して前記圧力を放出する天板放圧板が設けられている。
【発明の効果】
【０００９】
本発明の一態様によれば、短絡事故が発生したときに発生する圧力をスイッチギヤの外部に放出し、作業者の被災の可能性を低減できる。
【図面の簡単な説明】
【００１０】
【図１】実施形態１のスイッチギヤの断面図である。
【図２】実施形態１のスイッチギヤの正面図である。
【図３】実施形態１のスイッチギヤの背面図である。
【図４】実施形態２のスイッチギヤの断面図である。
【発明を実施するための形態】
【００１１】
〔実施形態１〕
以下、本発明の１側面に係る実施の形態（以下、「本実施形態」とも表記する）を、図面に基づいて説明する。具体的には、図１から図３に基づいて、スイッチギヤ１の構成例を説明する。図１は、スイッチギヤ１の断面図である。図２は、スイッチギヤ１の正面図である。図３は、スイッチギヤ１の背面図である。
【００１２】
＜スイッチギヤの構成例＞
スイッチギヤ１は、金属製の箱体で構成された閉鎖配電盤（金属閉鎖形スイッチギヤ）である。図１に示すように、スイッチギヤ１は、第１母線室１１ａと、第２母線室１１ｂと、遮断器室１２と、ケーブル室１３と、第１換気部１４ａと、第２換気部１４ｂと、を備えている。スイッチギヤ１の内部が第１仕切板２１、第２仕切板２２及び第３仕切板２３を用いて仕切られることにより、スイッチギヤ１の内部に、第１母線室１１ａ、第２母線室１１ｂ、遮断器室１２、及びケーブル室１３がそれぞれ独立かつ分離して形成されている。
【００１３】
具体的には、スイッチギヤ１の上段の区画を構成する第１母線室１１ａ及び第２母線室１１ｂと、スイッチギヤ１の下段の区画を構成する遮断器室１２ケーブル室１３とは、第１仕切板２１によって仕切られている。これにより、スイッチギヤ１は、上段に第１母線室１１ａ及び第２母線室１１ｂを備え、下段に遮断器室１２及びケーブル室１３を備えた上下２段構造となっている。第１母線室１１ａと第２母線室１１ｂとは、第２仕切板２２によって仕切られている。遮断器室１２とケーブル室１３とは、第３仕切板２３によって仕切られている。
【００１４】
第１仕切板２１、第２仕切板２２及び第３仕切板２３は、金属板であるが、その他の材質の板、例えば樹脂製の板であっても構わない。
【００１５】
第１母線室１１ａ及び第２母線室１１ｂは、それぞれ第１母線４１ａ及び第２母線４１ｂを収容する。第１母線室１１ａ及び第２母線室１１ｂは母線室の一例であり、第１母線４１ａ及び第２母線４１ｂは母線の一例である。本実施形態では、導体を外装した第１母線４１ａ及び第２母線４１ｂは、３相（Ｒ，Ｓ，Ｔ）の母線により構成されており、各相の母線は、紙面奥行方向に併設されている。相数は３相に限定されない。
【００１６】
第１母線室１１ａには、第１母線４１ａとケーブル４７とを電気的に接続、又はその接続を断路する第１断路器３１ａが設けられている。第２母線室１１ｂには、第２母線４１ｂとケーブル４７とを電気的に接続、又はその接続を断路する第２断路器３１ｂが設けられている。第１断路器３１ａ及び第２断路器３１ｂは断路器の一例である。
【００１７】
第１母線４１ａと第２母線４１ｂとは、上記相毎に、第２仕切板２２に設けられた第１貫通ブッシング４２によって電気的に接続されている。本実施形態では、第１母線４１ａに電気的に接続された接続導体４６と、第２母線４１ｂに電気的に接続された接続導体４６とが、第１貫通ブッシング４２を介して接続されている。
【００１８】
第１換気部１４ａ及び第２換気部１４ｂは、スイッチギヤ１の上部に設けられ、スイッチギヤ１の内部を換気する。第１換気部１４ａは、第１母線室１１ａ及び第２母線室１１ｂの上面を構成するスイッチギヤ１の天板において第１母線室１１ａの上部に、第１母線室１１ａと連通して設けられている。第２換気部１４ｂは、スイッチギヤ１の天板において第２母線室１１ｂの上部に、第２母線室１１ｂと連通して設けられている。第１換気部１４ａ及び第２換気部１４ｂは換気部の一例である。
【００１９】
後述の第１遮蔽板２４ａには、第１母線室１１ａを換気する第１換気穴２７ａが形成されており、後述の第２遮蔽板２４ｂには、第２母線室１１ｂを換気する第２換気穴２７ｂが形成されている。また、図２に示すように、後述の第１母線室開閉扉５１ａには、第１母線室１１ａを換気する第３換気穴６３ａが形成されている。図３に示すように、後述の第２母線室開閉扉５１ｂには、第２母線室１１ｂを換気する第４換気穴６３ｂが形成されている。
【００２０】
第１母線室１１ａ側では、空気は、例えば、第１母線室開閉扉５１ａ側から、第３換気穴６３ａ、第１換気穴２７ａ及び第１換気部１４ａを順に通り抜けることにより、スイッチギヤ１の上部へと流れる。第２母線室１１ｂ側では、空気は、例えば、第２母線室開閉扉５１ｂ側から、第４換気穴６３ｂ、第２換気穴２７ｂ及び第２換気部１４ｂを順に通り抜けることにより、スイッチギヤ１の上部へと流れる。そのため、第１母線室１１ａ及び第２母線室１１ｂの内部温度が上昇する可能性を低減できる。
【００２１】
第１母線室１１ａと第２母線室１１ｂとを仕切る第２仕切板２２には、第１母線室１１ａと第２母線室１１ｂとを連通し、第１母線室１１ａと第２母線室１１ｂとの間において空気が流れることを許容する換気穴が形成されていない。そのため、上述のように、第１母線室１１ａ及び第２母線室１１ｂのそれぞれに換気部及び換気穴を形成することにより、第１母線室１１ａ及び第２母線室１１ｂの換気を可能にしている。但し、第１換気部１４ａ及び第２換気部１４ｂは、スイッチギヤ１の天板ではなく、スイッチギヤ１の背面、前面及び側面の少なくとも何れかに設置されていてもよい。また、第１換気部１４ａ及び第１換気部１４ａは、１つの換気部として構成されていてもよい。
【００２２】
遮断器室１２は、第１母線４１ａ及び第２母線４１ｂとケーブル４７とを電気的に接続するか、又はその接続を断路して消弧する遮断器３３を収納する。ケーブル室１３は、外部機器（負荷）に電気的に接続されるケーブル４７を収納する。遮断器室１２及びケーブル室１３は、遮断器３３及びケーブル４７を収納する収納室の一例である。
【００２３】
遮断器３３は、１次側の第１受電部４４と、２次側の第２受電部４５と、を備えている。第１受電部４４は、第１仕切板２１に設けられた第２貫通ブッシング４３を介して、第１母線４１ａ及び第２母線４１ｂ（具体的には、第１断路器３１ａ及び第１貫通ブッシング４２と電気的に接続された接続導体４６）に電気的に接続されている。第２受電部４５は、ケーブル室１３内のケーブル４７（具体的には、ケーブル４７に電気的に接続される接続導体４６）に電気的に接続されている。
【００２４】
遮断器３３は、第３仕切板２３と遮断器室開閉扉５２との間において移動可能（具体的には、遮断器室開閉扉５２側に引出可能）に設けられている。作業者が遮断器３３を開放（断路）後に遮断器室開閉扉５２側に（図１において鎖線で示す位置まで）引き出すことにより、第１受電部４４と第２受電部４５との電気的な接続を物理的に断路できる。
【００２５】
作業者は、スイッチギヤ１の点検を実施する場合、第１断路器３１ａを操作して第１母線４１ａとケーブル４７との電気的な接続を断路すると共に、第２断路器３１ｂを操作して第２母線４１ｂとケーブル４７との電気的な接続を断路する。作業者は、例えば、遮断器室１２の点検を実施する場合には第１断路器３１ａのみを操作し、又は第２断路器３１ｂのみを操作して、第１母線４１ａ又は第２母線４１ｂとケーブル４７との電気的な接続を断路しても構わない。
【００２６】
このときの第１断路器３１ａ又は第２断路器３１ｂに対する操作によっても、第１断路器３１ａ又は第２断路器３１ｂの一次側と二次側とにおいて短絡（アーク放電）が生じてしまう可能性がある。作業者が、第１断路器３１ａ及び第２断路器３１ｂに対する上記操作に加え、遮断器３３を引き出して第１受電部４４と第２受電部４５との接続を物理的に断路することにより、消弧の可能性を高めることができる。そのため、スイッチギヤ１の点検時における作業者の安全性をより向上させることができる。つまり、短絡事故（内部アーク事故）の発生による作業者の被災の可能性を低減できる。
【００２７】
なお、ケーブル室１３の接続導体４６の途中には変流器（不図示）が設けられている。また、第１受電部４４と第２受電部４５とは、第３仕切板２３で仕切られている。
【００２８】
また、第３仕切板２３には、遮断器室１２とケーブル室１３とを連通し、遮断器室１２とケーブル室１３との間において空気を通す換気穴（不図示）が形成されている。しかし、第１母線室１１ａ及び第２母線室１１ｂのように、遮断器室１２及びケーブル室１３には換気部が設けられておらず、また、遮断器室開閉扉５２及びケーブル室開閉扉５３には換気穴が形成されていない。そのため、遮断器室１２及びケーブル室１３を効率よく換気することは困難である。本実施形態では、遮断器室１２及びケーブル室１３内部の接続導体４６のサイズを比較的大きくしている。これにより、接続導体４６の抵抗を低下させることができるため、抵抗発熱によって遮断器室１２及びケーブル室１３の内部温度が上昇する可能性を低減できる。
【００２９】
スイッチギヤ１は、更に、第１母線室１１ａの内部への作業者のアクセスを可能とする第１母線室開閉扉（第１開閉扉）５１ａと、第２母線室１１ｂの内部への作業者のアクセスを可能とする第２母線室開閉扉（第１開閉扉）５１ｂと、を備えている。また、スイッチギヤ１は、遮断器室１２の内部への作業者のアクセスを可能とする遮断器室開閉扉（第２開閉扉）５２と、ケーブル室１３の内部への作業者のアクセスを可能とするケーブル室開閉扉（第３開閉扉）５３と、を備えている。
【００３０】
第１母線室開閉扉５１ａ、第２母線室開閉扉５１ｂ、遮断器室開閉扉５２、及びケーブル室開閉扉５３は、スイッチギヤ１を構成する箱体の一部を形成している。本実施形態では、第１母線室開閉扉５１ａ及び遮断器室開閉扉５２がスイッチギヤ１の前面に、第２母線室開閉扉５１ｂ及びケーブル室開閉扉５３がスイッチギヤ１の背面に、それぞれ設けられている。
【００３１】
図２及び図３に示すように、遮断器室開閉扉５２及びケーブル室開閉扉５３にはそれぞれ、スイッチギヤ１の動作を制御する制御機器６２が設けられている。制御機器６２としては、電力計、保護継電器、動作表示灯、異常・警告表示灯、及び動作スイッチなどが挙げられる。制御機器６２は、遮断器室開閉扉５２及びケーブル室開閉扉５３の何れか一方に設けられていてもよい。また、制御機器６２の一部（例：保護継電器）は、スイッチギヤ１の内部に設けられてもよい。
【００３２】
図２に示すように、第１母線室開閉扉５１ａには第１操作器ハッチ６１ａが設けられ、図３に示すように、第２母線室開閉扉５１ｂには第２操作器ハッチ６１ｂが設けられている。第１操作器ハッチ６１ａは、第１母線室開閉扉５１ａと第１遮蔽板２４ａとの間に設けられた第１操作器３２ａへの作業者のアクセスを可能とする。第２操作器ハッチ６１ｂは、第２母線室開閉扉５１ｂと第２遮蔽板２４ｂとの間に設けられた第２操作器３２ｂへの作業者のアクセスを可能とする。第１操作器３２ａ及び第２操作器３２ｂは、操作器の一例であって、手動操作器の一例である。
【００３３】
第１操作器３２ａは、第１断路器３１ａによる第１母線４１ａとケーブル４７との電気的な接続又は断路を切り替える。第１操作器３２ａは、第１接続線３５ａを介して第１断路器３１ａと接続されている。作業者は、第１母線室開閉扉５１ａを開けずに第１操作器ハッチ６１ａを開け、第１操作器３２ａにハンドルを差し込む。作業者が差し込んだハンドルを回すことにより、第１接続線３５ａはその延伸方向に移動し、この移動に伴い、第１断路器３１ａによる上記接続又は断路が切り替えられる。
【００３４】
同様に、第２操作器３２ｂは、第２断路器３１ｂによる第２母線４１ｂとケーブル４７との電気的な接続又は断路を切り替える。第２操作器３２ｂは、第２接続線３５ｂを介して第２断路器３１ｂと接続されている。作業者が、第２操作器ハッチ６１ｂを開け、第２操作器３２ｂにハンドルを差し込み回すことにより、第２接続線３５ｂはその延伸方向に移動し、この移動に伴い、第２断路器３１ｂによる上記接続又は断路が切り替えられる。
【００３５】
但し、第１操作器ハッチ６１ａ及び第２操作器ハッチ６１ｂは設けられていなくてもよい。この場合、作業者は、第１母線室開閉扉５１ａ又は第２母線室開閉扉５１ｂを開いてハンドルを第１操作器３２ａ又は第２操作器３２ｂに差し込む。
【００３６】
また、第１操作器３２ａ及び第２操作器３２ｂは、ハンドルによる手動操作により、第１断路器３１ａ及び第２断路器３１ｂをそれぞれ動作させるものでなくてもよい。例えば、第１操作器３２ａを動作させることにより、第１断路器３１ａの動作を制御する第１スイッチ、及び／又は、第２操作器３２ｂを動作させることにより、第２断路器３１ｂの動作を制御する第２スイッチが、遮断器室開閉扉５２に設けられていてもよい。第１スイッチ及び／又は第２スイッチは、ケーブル室開閉扉５３に設けられていてもよい。つまり、第１断路器３１ａは第１スイッチを介して操作され、第１断路器３１ａは第２スイッチを介して操作されてもよい。
【００３７】
この場合、第１操作器３２ａ及び第２操作器３２ｂは、操作器の一例であって、電動操作器の一例である。また、第１スイッチ及び第２スイッチは、制御機器６２の一部として設けられる。作業者は、第１スイッチの押下により、第１断路器３１ａによる上記接続又は断路を制御できると共に、第２スイッチの押下により、第２断路器３１ｂによる上記接続又は断路を制御できる。
【００３８】
＜放圧構造＞
第１仕切板２１には、第１母線室１１ａと遮断器室１２とを連通する第１開口部２８ａが形成されていると共に、第１開口部２８ａを閉塞して第１母線室１１ａと遮断器室１２との間における空気の流れを寸断する第１放圧板２９ａが設けられている。また、第１仕切板２１には、第２母線室１１ｂとケーブル室１３とを連通する第２開口部２８ｂが形成されていると共に、第２開口部２８ｂを閉塞して第２母線室１１ｂとケーブル室１３との間における空気の流れを寸断する第２放圧板２９ｂが設けられている。
【００３９】
第１開口部２８ａ及び第２開口部２８ｂは、第１仕切板２１に開口部が分離して形成されている場合の一例である。第１仕切板２１には、遮断器室１２及びケーブル室１３に共通して１つの開口部が形成されていてもよいし、遮断器室１２及びケーブル室１３のそれぞれに対応して複数の開口部が形成されていてもよい。第１放圧板２９ａ及び第２放圧板２９ｂは、第１仕切板２１に形成された開口部に対応して設けられる放圧板の一例である。
【００４０】
また、第１放圧板２９ａは、第１母線室１１ａと遮断器室１２との間における空気の流れを寸断している状態において、遮断器室１２の内部における圧力が上昇した場合、上昇した圧力により第１開口部２８ａを開放して当該圧力を放出する機能を有する。第２放圧板２９ｂは、第２母線室１１ｂとケーブル室１３との間における空気の流れを寸断している状態において、ケーブル室１３の内部における圧力が上昇した場合、上昇した圧力により第２開口部２８ｂを開放して当該圧力を放出する機能を有する。換言すれば、第１放圧板２９ａ及び第２放圧板２９ｂは、上記空気の流れを寸断している状態において、スイッチギヤ１の内部における圧力が上昇した場合、上昇した圧力により第１開口部２８ａ及び第２開口部２８ｂを開放して当該圧力を放出する機能を有する。当該圧力の上昇は、例えば短絡事故により発生する。
【００４１】
具体的には、第１放圧板２９ａは、第１放圧板２９ａの一辺が回転軸として、第１開口部２８ａを形成する第１仕切板２１に取り付けられており、第１母線室１１ａ側に開放可能に回動する弁体である。第２放圧板２９ｂは、第２放圧板２９ｂの一辺が回転軸として、第２開口部２８ｂを形成する第１仕切板２１に取り付けられており、第２母線室１１ｂ側に開放可能に回動する弁体である。
【００４２】
そのため、第１放圧板２９ａ及び第２放圧板２９ｂは、遮断器室１２及びケーブル室１３において発生した圧力を、それぞれ第１母線室１１ａ及び第２母線室１１ｂに開放できる。この開放により、上記圧力は、第１換気部１４ａ及び第２換気部１４ｂを介して、スイッチギヤ１の外部へ放出される。第１放圧板２９ａ及び第２放圧板２９ｂは、上述のような弁体であるため、第１母線室１１ａ又は第２母線室１１ｂにおいて発生した圧力は、遮断器室１２及びケーブル室１３へと放出されない。
【００４３】
第１仕切板２１には、第１母線室１１ａ及び第２母線室１１ｂと、遮断器室１２及びケーブル室１３との間での空気の流れを許容する換気穴が形成されていない。そのため、第１放圧板２９ａが第１開口部２８ａを閉鎖し、かつ第２放圧板２９ｂが第２開口部２８ｂを閉塞している場合には、第１仕切板２１は当該空気の流れを寸断することとなる。従って、たとえ第１仕切板２１に第１放圧板２９ａ及び第２放圧板２９ｂが設けられていない場合であっても、第１母線室１１ａ及び第２母線室１１ｂにおいて発生した短絡事故により発生した圧力は、第１換気部１４ａ及び第２換気部１４ｂから外部に放出される。そのため、当該圧力が遮断器室１２及びケーブル室１３に放出される可能性を低減できる。
【００４４】
但し、第１仕切板２１に、第１放圧板２９ａ及び第２放圧板２９ｂが設けられていない場合、遮断器室１２又はケーブル室１３において発生した圧力は、第１母線室１１ａ又は第２母線室１１ｂへと放出されない。そのため、当該圧力は、遮断器室１２及びケーブル室１３のそれぞれに設けられた遮断器室開閉扉５２及びケーブル室開閉扉５３を開放し、スイッチギヤ１の外部へと放出される可能性がある。遮断器室開閉扉５２及びケーブル室開閉扉５３の近傍に作業者がいた場合、作業者は当該圧力により被災する可能性がある。
【００４５】
スイッチギヤ１では、第１仕切板２１に、第１開口部２８ａ及び第２開口部２８ｂが形成されていると共に、第１開口部２８ａに第１放圧板２９ａが設けられ、第２開口部２８ｂに第２放圧板２９ｂが設けられている。そのため、遮断器室１２又はケーブル室１３において発生した圧力を、第１母線室１１ａ又は第２母線室１１ｂへと放出できる。そのため、上記のような作業者の被災の可能性を低減できる。
【００４６】
また、第２仕切板２２には、第１母線室１１ａと第２母線室１１ｂとの間での空気の流れを許容する換気穴が形成されていないため、第２仕切板２２は当該空気の流れを寸断している。そのため、第１母線室１１ａにおいて発生した短絡事故により発生した圧力が第２母線室１１ｂに放出される可能性、及び、第２母線室１１ｂにおいて発生した短絡事故により発生した圧力が第１母線室１１ａに放出される可能性をそれぞれ低減できる。
【００４７】
また、スイッチギヤ１は、第１遮蔽板２４ａ、第２遮蔽板２４ｂ、第３遮蔽板２５、及び第４遮蔽板２６を備えている。具体的には、第１母線室１１ａには第１母線室開閉扉５１ａに対向して第１遮蔽板２４ａが設けられ、第２母線室１１ｂには第２母線室開閉扉５１ｂに対向して第２遮蔽板２４ｂが設けられている。また、遮断器室１２には遮断器室開閉扉５２に対向して第３遮蔽板２５が設けられ、ケーブル室１３にはケーブル室開閉扉５３に対向して第４遮蔽板２６が設けられている。そのため、第１母線室開閉扉５１ａ、第２母線室開閉扉５１ｂ、遮断器室開閉扉５２、又はケーブル室開閉扉５３付近において、短絡事故により発生した圧力により、作業者が被災する可能性をより低減できる。
【００４８】
第１遮蔽板２４ａ、第２遮蔽板２４ｂ、第３遮蔽板２５、及び第４遮蔽板２６は、金属板であるが、その他の材質の板、例えば樹脂製の板であっても構わない。例えば、第１遮蔽板２４ａ、第２遮蔽板２４ｂ、第３遮蔽板２５、又は第４遮蔽板２６の一部又は全部が透明な樹脂製の板であっても構わない。この場合、作業者は、第１遮蔽板２４ａ、第２遮蔽板２４ｂ、第３遮蔽板２５、又は第４遮蔽板２６を介して、スイッチギヤ１の内部を視認できる。
【００４９】
＜短絡事故発生時の動作例＞
遮断器室１２において、短絡事故が発生した場合、急激な圧力上昇が起こり、上昇した圧力により、第１放圧板２９ａが回動し、第１開口部２８ａを開放する。その結果、上昇した圧力（当該圧力により遮断器室１２において膨張した空気）は、第１開口部２８ａを介して第１母線室１１ａに放出され、更に、主として第１換気部１４ａから、スイッチギヤ１の外部へと放出される。そのため、遮断器室１２における短絡事故に伴う、遮断器室１２内部の圧力の上昇が抑制される。
【００５０】
また、第２仕切板２２によって第１母線室１１ａと第２母線室１１ｂとの間での空気の流れは寸断されている。そのため、第１母線室１１ａへの上記圧力の放出により、第２母線室１１ｂにおいて圧力が上昇する可能性は低い。
【００５１】
また、ケーブル室１３は、第３仕切板２３によって遮断器室１２と仕切られている。第３仕切板２３には換気穴が形成されているが、遮断器室１２において発生した圧力は、主として第１開口部２８ａから放出される。そのため、当該圧力が第３仕切板２３の換気穴を介してケーブル室１３に放出され、ケーブル室１３において圧力が上昇する可能性は低い。遮断器室１２において発生した圧力が、第３仕切板２３の換気穴からケーブル室１３へと放出されたとしても、当該圧力により第２放圧板２９ｂを回動させ、第２開口部２８ｂを開放できる。そのため、当該圧力は、第２母線室１１ｂに放出され、更に、主として第２換気部１４ｂから、スイッチギヤ１の外部へと放出できる。
【００５２】
ケーブル室１３において、短絡事故が発生した場合、上昇した圧力により、第２放圧板２９ｂが回動し、第２開口部２８ｂを開放する。その結果、上昇した圧力（当該圧力によりケーブル室１３において膨張した空気）は、第２開口部２８ｂを介して第２母線室１１ｂに放出され、更に、主として第２換気部１４ｂから、スイッチギヤ１の外部へと放出される。そのため、ケーブル室１３における短絡事故に伴う、ケーブル室１３内部の圧力の上昇が抑制される。
【００５３】
また、第１母線室１１ａと第２母線室１１ｂとの間での空気の流れは寸断されているため、第２母線室１１ｂへの上記圧力の放出により、第１母線室１１ａにおいて圧力が上昇する可能性は低い。
【００５４】
また、ケーブル室１３において発生した圧力は、主として第２開口部２８ｂから放出される。そのため、当該圧力が第３仕切板２３の換気穴を介して放出され、遮断器室１２において圧力が上昇する可能性は低い。ケーブル室１３において発生した圧力が、第３仕切板２３の換気穴から遮断器室１２へと放出されたとしても、当該圧力により第１放圧板２９ａを回動させ、第１開口部２８ａを開放できる。そのため、当該圧力は、第１母線室１１ａを介して、主として第１換気部１４ａから、スイッチギヤ１の外部へと放出できる。
【００５５】
第１母線室１１ａにおいて、短絡事故が発生した場合、急激な圧力上昇が起こるが、上昇した圧力（当該圧力により第１母線室１１ａにおいて膨張した空気）は、主として第１換気部１４ａを介して、スイッチギヤ１の外部へと放出される。そのため、第１母線室１１ａにおける短絡事故に伴う、第１母線室１１ａ内部の圧力の上昇が抑制される。
【００５６】
また、第１仕切板２１及び第１放圧板２９ａによって、第１母線室１１ａと遮断器室１２との間での空気の流れは寸断されている。上述のように、第１放圧板２９ａは、第１母線室１１ａにおいて圧力が上昇したとしても、第１開口部２８ａを開放しない。そのため、遮断器室１２において圧力が上昇する可能性は低い。
【００５７】
また、第２仕切板２２が設けられているため、第１母線室１１ａでの短絡事故により、第２母線室１１ｂにおいて圧力が上昇する可能性は低い。さらに、第１仕切板２１及び第２放圧板２９ｂによって、第２母線室１１ｂとケーブル室１３との間での空気の流れは寸断されている。また、第３仕切板２３が設けられ、かつ第１母線室１１ａでの短絡事故により遮断器室１２において圧力が上昇する可能性は低い。そのため、ケーブル室１３において圧力が上昇する可能性は低い。
【００５８】
同様に、第２母線室１１ｂにおいて、短絡事故が発生した場合、急激な圧力上昇が起こるが、上昇した圧力（当該圧力により第２母線室１１ｂにおいて膨張した空気）は、主として第２換気部１４ｂを介して放出される。そのため、第２母線室１１ｂにおける短絡事故に伴う、第２母線室１１ｂ内部の圧力の上昇が抑制される。
【００５９】
また、第１仕切板２１及び第２放圧板２９ｂによって、第２母線室１１ｂとケーブル室１３との間での空気の流れは寸断されている。上述のように、第２放圧板２９ｂは、第２母線室１１ｂにおいて圧力が上昇したとしても、第２開口部２８ｂを開放しない。そのため、ケーブル室１３において圧力が上昇する可能性は低い。
【００６０】
また、第２仕切板２２が設けられているため、第２母線室１１ｂでの短絡事故により、第１母線室１１ａにおいて圧力が上昇する可能性は低い。さらに、第１仕切板２１及び第１放圧板２９ａによって、第１母線室１１ａと遮断器室１２との間での空気の流れは寸断されている。また、第３仕切板２３が設けられ、かつ第２母線室１１ｂでの短絡事故によりケーブル室１３において圧力が上昇する可能性は低い。そのため、遮断器室１２において圧力が上昇する可能性は低い。
【００６１】
＜作用・効果＞
以上のように、スイッチギヤ１は、第１母線室１１ａ及び第２母線室１１ｂと、遮断器室１２及びケーブル室１３とを仕切る第１仕切板２１を備えている。
【００６２】
第１仕切板２１には、換気穴が形成されていない。そのため、第１母線室１１ａ又は第２母線室１１ｂにおいて短絡事故が発生したときに発生する圧力により、遮断器室１２又はケーブル室１３において作業者が被災する可能性を低減できる。
【００６３】
また、スイッチギヤ１の上部に第１換気部１４ａ及び第２換気部１４ｂが設けられる。第１仕切板２１には、第１開口部２８ａ及び第２開口部２８ｂが形成されていると共に、第１開口部２８ａに第１放圧板２９ａが設けられ、第２開口部２８ｂに第２放圧板２９ｂが設けられている。そのため、スイッチギヤ１の下段の区画（本実施形態では、遮断器室１２又はケーブル室１３）において発生した圧力を、スイッチギヤ１の上段の区画（本実施形態では、第１母線室１１ａ又は第２母線室１１ｂ）を介して、スイッチギヤ１の外部へと放出できる。そのため、スイッチギヤ１の近傍（特に、下段の区画の近傍）において作業者が被災する可能性を低減できる。
【００６４】
従って、スイッチギヤ１内部のいかなる区画において短絡事故が発生し、スイッチギヤ１内部の圧力が急激に上昇しても、その上昇した圧力（当該圧力により膨張した空気）を、スイッチギヤ１の外部に安全に放出できる。そのため、短絡事故による作業者の被災の可能性を低減できると共に、スイッチギヤ１の破損の可能性を低減できる。
【００６５】
ここで、特許文献１〜３のスイッチギヤでは、作業者は、母線活線状態（主母線充電中）での短絡事故に伴うアークフラッシュにより被災する可能性がある。そのため、当該スイッチギヤにおいては、作業者が母線室以外の区画における保守作業を安全に行うことが困難な場合がある。本実施形態１のスイッチギヤ１によれば、第１仕切板２１を設けているため、遮断器室１２及びケーブル室１３において上記アークフラッシュにより作業者が被災する可能性を低減でき、遮断器室１２及びケーブル室１３において保守作業を安全に行うことができる。なお、上記保守作業を行う場合、第１断路器３１ａ、第２断路器３１ｂ及び遮断器３３により、第１母線４１ａ及び第２母線４１ｂとケーブル４７との電気的な接続が断路されている（断路器開放とも称する）。そのため、遮断器室１２又はケーブル室１３（作業中の区画）において活電している機器は存在しない。
【００６６】
さらに、第１母線室１１ａに第１母線室開閉扉５１ａを設け、第２母線室１１ｂに第２母線室開閉扉５１ｂを設け、遮断器室１２に遮断器室開閉扉５２を設け、ケーブル室１３にケーブル室開閉扉５３を設けている。そのため、作業者は、作業中の区画に個別にアクセスできる。従って、他の区画での短絡事故により、作業者が被災する可能性を低減できる。
【００６７】
さらに、遮断器室開閉扉５２及び／又はケーブル室開閉扉５３に制御機器６２が設けられている。作業者は、遮断器室１２又はケーブル室１３の保守作業時（点検時）に、制御機器６２の保守作業を行うことができる。
【００６８】
さらに、作業者は、第１母線室開閉扉５１ａを開放せずに、第１操作器ハッチ６１ａを開放するだけで、第１断路器３１ａに対する操作を実施できる。そのため、短絡事故が発生したときに、第１母線室開閉扉５１ａの開放により作業者が被災する可能性を低減できる。第２断路器３１ｂに対する操作についても同様である。
【００６９】
また、第１断路器３１ａに対する操作を、制御機器６２（具体的には第１スイッチ）を介して実施する場合、作業者は、例えば遮断器室１２又はケーブル室１３の保守作業時に、第１母線室開閉扉５１ａ（第１操作器ハッチ６１ａも含む）を開放する必要が無い。そのためこの場合、短絡事故が発生したときに、第１母線室開閉扉５１ａを開放することにより作業者が被災する可能性を更に低減できる。第２断路器３１ｂに対する操作を、制御機器６２（具体的には第２スイッチ）を介して実施する場合についても同様である。
【００７０】
さらに、第１母線室１１ａと第２母線室１１ｂとを仕切る第２仕切板２２が設けられているため、隣接する母線室において発生した短絡事故により作業者が被災する可能性を低減できる。
【００７１】
その他、遮断器室１２とケーブル室１３とを仕切る第３仕切板２３が設けられているため、遮断器室１２において発生した短絡事故によりケーブル室１３側において作業者が被災する可能性を低減できる。また、ケーブル室１３において発生した短絡事故により遮断器室１２側において作業者が被災する可能性を低減できる。
【００７２】
つまり、第１貫通ブッシング４２及び第２貫通ブッシング４３により第１母線４１ａ及び第２母線４１ｂとケーブル４７との電気的な接続を可能にしたうえで、各作業区画を第１仕切板２１、第２仕切板２２、及び第３仕切板２３により仕切ることができる。そのため、断路器開放により、作業者は、特に遮断器室１２又はケーブル室１３での保守作業を安全に行うことができる。
【００７３】
また、各作業区画は、第１遮蔽板２４ａ、第２遮蔽板２４ｂ、第３遮蔽板２５、及び第４遮蔽板２６によって遮蔽されている。そのため、スイッチギヤ１の近傍にいる作業者が、短絡事故の発生により被災する可能性を低減できる。また、作業者は、第１母線室開閉扉５１ａ、第２母線室開閉扉５１ｂ、遮断器室開閉扉５２、又はケーブル室開閉扉５３を開放しただけでは、各作業区画の内部にアクセスできない。そのため、例えば、活電している状態において、作業者が誤って第１母線室開閉扉５１ａ、第２母線室開閉扉５１ｂ、遮断器室開閉扉５２、又はケーブル室開閉扉５３を開放したときに発生し得る、作業者の被災の可能性を低減できる。
【００７４】
〔実施形態２〕
本発明の他の実施形態について、図４に基づいて以下に説明する。図４は、スイッチギヤ２の断面図である。図４に示すように、スイッチギヤ２は、第１換気部１４ａ及び第２換気部１４ｂに代えて、第１天板開口部７１ａ、第２天板開口部７１ｂ、第１天板放圧板７２ａ、及び第２天板放圧板７２ｂを備える点で、実施形態１のスイッチギヤ１と異なる。
【００７５】
第１母線室１１ａの天板（スイッチギヤ２の天板）には、第１母線室１１ａとスイッチギヤ２の外部とを連通する第１天板開口部７１ａが形成されている。第１天板開口部７１ａには、第１天板開口部７１ａを閉塞して第１母線室１１ａとスイッチギヤ２の外部との間における空気の流れを寸断する第１天板放圧板７２ａが設けられている。また、第２母線室１１ｂの天板（スイッチギヤ２の天板）には、第２母線室１１ｂとスイッチギヤ２の外部とを連通する第２天板開口部７１ｂが形成されている。第２天板開口部７１ｂには、第２天板開口部７１ｂを閉塞して第２母線室１１ｂとスイッチギヤ２の外部との間における空気の流れを寸断する第２天板放圧板７２ｂが設けられている。
【００７６】
第１天板開口部７１ａ及び第２天板開口部７１ｂは、スイッチギヤ２の天板に天板開口部が分離して形成されている場合の一例である。スイッチギヤ２の天板には、第１母線室１１ａ及び第２母線室１１ｂに共通して１つの天板開口部が形成されていてもよいし、第１母線室１１ａ及び第２母線室１１ｂのそれぞれに対応して複数の天板開口部が形成されていてもよい。第１天板放圧板７２ａ及び第２天板放圧板７２ｂは、スイッチギヤ２の天板に形成された天板開口部に対応して設けられる天板放圧板の一例である。
【００７７】
また、第１天板放圧板７２ａは、第１母線室１１ａとスイッチギヤ２の外部との間における空気の流れを寸断している状態において、第１母線室１１ａの内部における圧力が上昇した場合、上昇した圧力により第１天板開口部７１ａを開放する機能を有する。第１天板放圧板７２ａは、第１天板開口部７１ａを開放することにより、当該圧力をスイッチギヤ２の外部に放出する。第２天板放圧板７２ｂは、第２母線室１１ｂとスイッチギヤ２の外部との間における空気の流れを寸断している状態において、第２母線室１１ｂの内部における圧力が上昇した場合、上昇した圧力により第２天板開口部７１ｂを開放する機能を有する。第２天板放圧板７２ｂは、第２天板開口部７１ｂを開放することにより、当該圧力をスイッチギヤ２の外部に放出する。換言すれば、第１天板放圧板７２ａは、上記空気の流れを寸断している状態において、スイッチギヤ２の内部における圧力が上昇した場合、上昇した圧力により第１天板開口部７１ａを開放して当該圧力を放出する機能を有する。第２天板開口部７１ｂも同様の機能を有する。
【００７８】
第１天板放圧板７２ａは、第１天板放圧板７２ａの一辺が回転軸として、第１天板開口部７１ａを形成するスイッチギヤ２の天板に取り付けられており、スイッチギヤ２の外部側に開放可能に回動する弁体である。第２天板放圧板７２ｂは、第２天板放圧板７２ｂの一辺が回転軸として、第２天板開口部７１ｂを形成するスイッチギヤ２の天板に取り付けられており、スイッチギヤ２の外部側に開放可能に回動する弁体である。そのため、第１天板放圧板７２ａ及び第２天板放圧板７２ｂは、第１母線室１１ａ及び第２母線室１１ｂにおいて発生した圧力を、スイッチギヤ２の外部に放出できる。
【００７９】
また、遮断器室１２において発生した圧力も、第１開口部２８ａ、第１母線室１１ａ、及び第１天板開口部７１ａをこの順に経由して、スイッチギヤ２の外部に放出できる。同様に、ケーブル室１３において発生した圧力も、第２開口部２８ｂ、第２母線室１１ｂ、及び第２天板開口部７１ｂをこの順に経由して、スイッチギヤ２の外部に放出できる。従って、スイッチギヤ２の構成においても、短絡事故が発生した場合に、スイッチギヤ２の近傍（特に、遮断器室１２及びケーブル室１３の近傍）において作業者が被災する可能性を低減できる。
【００８０】
また、定格電流が比較的小さいスイッチギヤの場合、スイッチギヤの内部での発熱量が比較的小さい。そのため、当該スイッチギヤには、スイッチギヤの上部にスイッチギヤの内部を換気する換気部が設けられていない。スイッチギヤ２は、そのようなスイッチギヤに第１天板放圧板７２ａ及び第２天板放圧板７２ｂを設けることにより、短絡事故に伴いスイッチギヤ２の内部の圧力が上昇した場合でも、第１天板開口部７１ａ及び第２天板開口部７１ｂから当該圧力を放出できる。
【００８１】
〔変形例〕
上記では、スイッチギヤ１及び２が母線室として第１母線室１１ａ及び第２母線室１１ｂを備えている場合に関して説明したが、この限りではない。母線室は１つであっても、３つ以上であっても構わない。母線室が３つ以上設けられている場合、複数の母線室のそれぞれの間に第２仕切板が設けられることにより、隣接する母線室間での空気の流れは寸断される。また、スイッチギヤ１においては、複数の母線室のそれぞれに対して換気部が設けられてもよいし、少なくとも２つの母線室に対して共通の換気部が設けられてもよい。スイッチギヤ２においては、複数の母線室のそれぞれに対して天板開口部及び天板放圧板が設けられてもよいし、少なくとも２つの母線室に対して共通の天板開口部及び天板放圧板が設けられてもよい。
【００８２】
また、上記では、第１母線室１１ａ及び第２母線室１１ｂがスイッチギヤ１及び２の上段に設けられ、遮断器室１２及びケーブル室１３がスイッチギヤ１及び２の下段に設けられている場合に関して説明したが、この限りではない。例えば、遮断器室１２及びケーブル室１３がスイッチギヤ１及び２の上段に設けられ、第１母線室１１ａ及び第２母線室１１ｂがスイッチギヤ１及び２の下段に設けられてもよい。この場合、遮断器室１２及びケーブル室１３の上部に、スイッチギヤ１では第１換気部１４ａ及び第２換気部１４ｂが設けられ、スイッチギヤ２では第１天板開口部７１ａ、第２天板開口部７１ｂ、第１天板放圧板７２ａ、及び第２天板放圧板７２ｂが設けられる。
【００８３】
この構成の場合における短絡事故発生時（圧力上昇時）の動作は、上述した動作例において、主として、第１母線室１１ａと遮断器室１２とを互いに読み替え、第２母線室１１ｂとケーブル室１３を互いに読み替えればよい。
【００８４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８５】
１、２  スイッチギヤ
１１ａ  第１母線室（母線室）
１１ｂ  第２母線室（母線室）
１２    遮断器室（収納室）
１３    ケーブル室（収納室）
１４ａ  第１換気部（換気部）
１４ｂ  第２換気部（換気部）
２１    第１仕切板
２２    第２仕切板
２８ａ  第１開口部（開口部）
２８ｂ  第２開口部（開口部）
２９ａ  第１放圧板（放圧板）
２９ｂ  第２放圧板（放圧板）
３１ａ  第１断路器（断路器）
３１ｂ  第２断路器（断路器）
３３    遮断器
４１ａ  第１母線（母線）
４１ｂ  第２母線（母線）
４７    ケーブル
５１ａ  第１母線室開閉扉（第１開閉扉）
５１ｂ  第２母線室開閉扉（第１開閉扉）
５２    遮断器室開閉扉（第３開閉扉）
５３    ケーブル室開閉扉（第２開閉扉）
６２    制御機器
７１ａ  第１天板開口部（天板開口部）
７１ｂ  第２天板開口部（天板開口部）
７２ａ  第１天板放圧板（天板放圧板）
７２ｂ  第２天板放圧板（天板放圧板）
【図１】
2022003853.tif 000003
【図２】
2022003853.tif 000004
【図３】
2022003853.tif 000005
【図４】
2022003853.tif 000006